(57)【要約】【課題】一枚の板状体からなり、形状の異なる２種以上の物品を簡便かつ確実に保持して収容でき、しかも自動包装適正に優れた包装用箱を提供する。【解決手段】一枚の板状体を複数回屈曲して箱体を形成し、該箱体の内部に形状の異なる２種以上の物品を収容する包装用箱であって、該板状体の一部に、該箱体形成時にその内部を略くの字状又は略コの字状に仕切る仕切り片を連接し、かつ該仕切り片の先端部を該箱体の内周面に押圧するように構成してなることを特徴とする包装用箱である。【選択図】図１
2010052813.tif 000002
【特許請求の範囲】
【請求項１】
一枚の板状体を複数回屈曲して箱体を形成し、該箱体の内部に形状の異なる２種以上の物品を収容する包装用箱であって、該板状体の一部に、該箱体形成時にその内部を略くの字状又は略コの字状に仕切る仕切り片を連接し、かつ該仕切り片の先端部を該箱体の内周面に押圧するように構成してなることを特徴とする包装用箱。
【請求項２】
仕切り片を屈曲部と押え部とから構成し、該押え部の先端部を円弧状に形成してなる、請求項１に記載の包装用箱。
【請求項３】
仕切り片の屈曲部と押え部との間に接続部を設けてなる、請求項２に記載の包装用箱。
【請求項４】
仕切り片の屈曲部から押え部に至る連接部の一部又は全部を幅狭に形成してなる、請求項２又は３に記載の包装用箱。
【請求項５】
仕切り片の屈曲部から押え部に至る連接部の一部又は全部にミシン目及び／又は半切り線を施してなる、請求項４に記載の包装用箱。
【請求項６】
仕切り片の屈曲部から押え部に至る連接部に開口部を設けてなる、請求項２〜５のいずれかに記載の包装用箱。
【請求項７】
箱体の正面部又は裏面部に糊代部を連接し、該糊代部に仕切り片を連接し、その連接方向における該仕切り片の長さを正面部又は裏面部の長さよりも長く形成してなる、請求項１〜６のいずれかに記載の包装用箱。
【請求項８】
糊代部と仕切り片との連接方向における、該仕切り片の押え部の先端部から開口部までの長さを、該押え部の他の部分の長さよりも長く形成してなる、請求項７に記載の包装用箱。
【請求項９】
糊代部の幅を、対向する側面部の幅よりも狭く形成してなる、請求項７又は８に記載の包装用箱。
【発明の詳細な説明】
【技術分野】
【０００１】
本発明は包装用箱に関し、詳しくは、化粧品や日用品等の形状の異なる２種以上の物品を収容する保持機能付の包装用箱に関する。
【背景技術】
【０００２】
化粧品や日用品等の包装用箱では、シート状の物品や円筒状の物品等の形状の異なる２種以上の物品を一つの箱に収容する必要がある場合がある。
この場合、収容物品の形状に合わせた凹部を有する内箱を外箱に組み合わせる方式や、不定形の緩衝材を収容物品と箱との隙間に詰める詰物方式等が採用されている。
しかし、内箱と外箱の組み合わせ方式では、内箱が必要となるため、初期コストが高く、収容物品の設計変更に合わせて内箱の凹部の形状を変更する必要があるという問題があり、また、省資源の観点からも好ましくない。
また、詰物方式においては、収容物品を緩衝材でくるんだり、緩衝材を詰めたりするため梱包に労力がかかり、初期コストも高く、省資源の観点からも好ましくない。
【０００３】
一方、一枚の板状体からなり、内容物の保持機能を有する包装用箱も提案されている。
例えば、特許文献１には、一枚の板状体を複数回折曲して箱体を構成し、該板状体の一部に、箱体内部の空間を製品用と取扱説明書用に仕切る仕切面部を備え、該仕切面部に凹部を形成した組立箱が開示されている。しかしながら、この組立箱は、構造が複雑であるため初期コストが高く、収納物品の形状変更に合わせて凹部の形状を変更する必要があるという問題があった。
【０００４】
特許文献２には、一枚の板状体からなる両側面が蛇腹状の収納ケースであって、カバー面の一部に設けた補強片をコの字形に折り曲げて補強部を形成したＣＤ等の収納ケースが開示されている。しかしながら、この収納ケースは、ＣＤ等の同形状の板状の物品を収納するものであり、形状の異なる複数の物品を収納するものではない。
また、一枚の板状体を組み立てて形成する包装用箱は、その製箱前（納品時）は、通常、角筒を折り畳んだ偏平の状態であり、自動包装による箱詰め工程で製箱され、物品が収容されて最終商品とされる。このため、自動包装の際に、容易かつ確実に扁平状態から製箱できることが要求される。
【０００５】
【特許文献１】特開平８−３１８９３１号公報
【特許文献２】特開２０００−６２７６４号公報
【発明の開示】
【発明が解決しようとする課題】
【０００６】
本発明は、上記現状に鑑みてなされたものであり、一枚の板状体からなり、形状の異なる２種以上の物品を簡便かつ確実に保持して収容でき、しかも自動包装適正に優れた包装用箱を提供することを課題とする。
【課題を解決するための手段】
【０００７】
本発明者らは、包装用箱内に、形状の異なる２種以上の物品の収容場所を個別に形成し、かつ保持機能を有する特定形状の仕切り片を設けることにより、収容物品を簡便かつ確実に保持して収容でき、しかも自動包装適正に優れることを見出した。
すなわち、本発明は、一枚の板状体を複数回屈曲して箱体を形成し、該箱体の内部に形状の異なる２種以上の物品を収容する包装用箱であって、該板状体の一部に、該箱体形成時にその内部を略くの字状又は略コの字状に仕切る仕切り片を連接し、かつ該仕切り片の先端部を該箱体の内周面に押圧するように構成してなることを特徴とする包装用箱を提供する。
【発明の効果】
【０００８】
本発明の包装用箱は、一枚の板状体からなり、化粧品や日用品等の形状の異なる２種以上の物品、例えば、シート状の物品や円筒状の物品等を簡便かつ確実に保持して収容できる。また、本発明の包装用箱は、収容能力の許容範囲が広いので、収容物品の量や大きさが多少変更されても、設計変更することなくそのまま使用することができる。しかも、包装用箱の組み立て作業性に優れており、自動包装適正に優れている。
【発明を実施するための最良の形態】
【０００９】
本発明の包装用箱は、一枚の板状体を複数回屈曲して箱体を形成し、該箱体の内部に形状の異なる２種以上の物品を収容する包装用箱であって、該板状体の一部に、該箱体形成時にその内部を略くの字状又は略コの字状に仕切る仕切り片を連接し、かつ該仕切り片の先端部を該箱体の内周面に押圧するように構成してなることを特徴とする。
【００１０】
本発明の包装用箱の実施の形態について、図面を参照して説明する。
図１は、本発明の包装用箱の一実施態様を示す斜視図であり、箱体の内部を略くの字状に仕切る仕切り片を設けた包装用箱１０の組立て状態を示す図である。図２は、図１の包装用箱１０を展開した状態の板状体１を示す図であり、板状体１を裏側（包装用箱１０の内側）から見た図である。図１及び図２において、３（３ａ、３ｂ）は本発明の特徴である仕切り片を示す。
【００１１】
包装用箱１０の素材である板状体１の材質に特に制限はないが、対環境性、廃棄時の焼却性、ヒンジ耐性、弾力性等の観点から、加工板紙、積層紙、樹脂加工紙、合成樹脂シート等が用いられる。使用できる加工板紙としては、コートボール、コートマニラ等が挙げられるが、仕切り片３により収容物品を箱体内の壁面に押圧して保持するときの弾性力を確保するため、坪量２００〜５００ｇ／ｍ2の板紙が好ましい。また、前記板紙に樹脂やアルミニウム箔を積層したラミネートボールや、合成樹脂を含浸させた樹脂加工ボールも好ましく用いられる。
また、合成樹脂シートとしては、例えばポリエチレンテレフタレート又はその共重合体、ポリプロピレン又はその共重合体、ポリスチレン又はその共重合体、又はそれらの積層体等からなる弾性シートが挙げられる。弾性シートの厚みは、上記と同様の観点から、０．２〜０．５ｍｍであることが好ましい。
【００１２】
図２において、板状体１は、正面部１ａ、左側面部１ｂ、裏面部１ｃ、右側面部１ｄ、底面部１ｅ、蓋面部１ｆ、糊代部１ｐ、及び計６つの差込み片を有し、板状体１には仕切り片３が連接されている。板状体１の各面部の境目には折り線（図２において、鎖線で表示されている２ａ〜２ｈ等）が設けられており、該折り線に沿って全て谷折りする（複数回屈曲する）ことにより箱体が形成される。
図２において、矩形状の正面部１ａの左辺及び右辺には、それぞれ矩形状の右側面部１ｄと左側面部１ｂとがそれぞれ折り線２ａ、２ｂを介して連接され、左側面部１ｂの右辺には、折り線２ｃを介して裏面部１ｃが連接されている。
【００１３】
正面部１ａの下辺と裏面部１ｃの上辺には、それぞれ外方向に広がる底面部１ｅと蓋面部１ｆとがそれぞれ折り線２ｅ、２ｆを介して連接され、更にそれぞれには、略台形状の差込み片１ｇ、１ｈがそれぞれ折り線２ｇ、２ｈを介して連接されている。右側面部１ｄと左側面部１ｂの下辺及び上辺にも、折り線を介してそれぞれ略台形状の差込み片が連接されている。
なお、蓋面部１ｆと略台形状の差込み片１ｈとの連接部（折り線２ｈ）の両端部には、図２に示すように、直線状の切り込みを設けて、製箱時の差込み片１ｈと箱体の係合によるロック機構を設けることができる。また必要に応じて、底面部１ｅと差込み片１ｇとの連接部（折り線２ｇ）にも、蓋面部１ｆと同様の切り込みを設けることができる。
【００１４】
裏面部１ｃの右辺には、折り線２ｄを介して糊代部１ｐが連接され、糊代部１ｐの右辺には、折り線４ａを介して仕切り片３が設けられている。
仕切り片３は、折り線４ｂを介して連接された屈曲部３ａと押え部３ｂとから構成されており、箱体形成時に箱体内部を略くの字状に仕切るものである。
押え部３ｂの先端部Ｑは円弧状に形成することが好ましい。これは、包装用箱１０の製箱前（納品時）は角筒を折り畳んだ偏平な状態であるので、これを角筒状に起こして、包装用箱１０を形成するときに、包装用箱１０の内周面（折り線２ｂ）への接触を１点にして、抵抗を小さくするようにするためである。
【００１５】
仕切り片３の長さは、製函機への仕掛りを考慮すると、その連接方向（図２における横方向；板状体１の長軸方向）における長さ（Ｍ＋Ｌ）を、正面部１ａ又は裏面部１ｃ（長尺面部）の長さよりも長く形成されており、裏面部１ｃの長さ（Ｏ）と糊代部１ｐの長さ（Ｎ）との間で、長さ（Ｏ＋Ｎ）≧長さ（Ｍ＋Ｌ）の関係が好ましい。このように構成することにより、箱体形成時に、折り線４ｂに沿って屈曲部３ａと押え部３ｂとが山折りされ、正面部１ａ側に屈曲されて、箱体内部を略くの字状に仕切るように組み立てられる。
なお、糊代部１ｐの幅は、接着時に重なり合う左側面部１ｄの幅よりも狭く形成することが好ましい。
【００１６】
図３は、図２の板状体を谷折りして角筒状にし、それを折り畳んで偏平な状態にした図である。本発明の包装用箱は、製箱前（納品時）には、通常、図３に示すような角筒を折り畳んだ偏平な状態になっている。この状態の包装用箱を起こして製箱する際に、仕切り片３が容易に略くの字を形成することができるようにするために、図２に示すように、仕切り片３の屈曲部３ａと押え部３ｂとの連接部（折り線４ｂの部分）は、仕切り片３の他の部分よりも幅狭に形成することが好ましい。換言すれば、折り線４ａを底辺とし折り線４ｂを上辺とする略台形状とし、また、折り線４ｂを底辺として押え部３ｂを外方向に拡幅して形成することが好ましい。
上記と同様の観点から、屈曲部３ａと押え部３ｂとの連接部（折り線４ｂの部分）には、開口部５を設けることが好ましい。また、折り線４ｂの一部又は全部にミシン目及び／又は半切り線を施せば、仕切り片３を更に容易に略くの字に形成させることができると同時に、仕切り片３の折れ曲がり強度を調整し、その押圧力を調整することができる。
【００１７】
一方、図４は、仕切り片３の別の態様を示す図であり、この仕切り片３は、図１０に示すように、箱体の内部を略コの字状に仕切ることができる。
図４において、仕切り片３の屈曲部３ａと押え部３ｂとの間には押さえ補助部３ｃが設けられている。すなわち、屈曲部３ａと押さえ補助部３ｃとが折り線４ｂ’を介して連接され、押さえ補助部３ｃと押え部３ｂとが折り線４ｂ’’を介して連接されている。
押さえ補助部３ｃは１又は２以上設けることができ、屈曲部３ａから押え部３ｂに至る連接部（折り線４ｂ’、４ｂ’’）の一部又は全部にミシン目や半切り線を施すこともできる。
また、仕切り片３の屈曲部３ａから押え部３ｂに至る連接部（折り線４ｂ’、４ｂ’’）の一部又は全部を幅狭に形成し、さらに屈曲部３ａ、押さえ補助部３ｃ、押え部３ｂに渡って開口部５を設けることもできる。
図４の場合における、仕切り片３の長さ〔（３ａ＋３ｃ＋３ｂ）の連接方向の合計長さ〕は、正面部１ａ又は裏面部１ｃ（長尺面部）の長さよりも長く形成されており、裏面部１ｃの長さ（Ｏ）と糊代部１ｐの長さ（Ｎ）との間（図２参照）で、長さ（Ｏ＋Ｎ）≧仕切り片３の長さ〔（３ａ＋３ｃ+３ｂ）の連接方向の合計長さ〕の関係が好ましい。このように構成することにより、箱体形成時に、折り線４ｂに沿って屈曲部３ａと押え部３ｂとが山折りされ、正面部１ａ側に屈曲されて、箱体内部を略コの字状に仕切るように組み立てられる。
【００１８】
開口部５の形状は、糊代部１ｐと仕切り片３との連接方向（図２及び図４における横方向；板状体１の長軸方向）における、仕切り片３の押え部３ｂの先端部Ｑから開口部までの長さ（図２及び図４におけるＱ−Ｒの長さ）を、板状体１の長軸方向における、押え部３ｂの他の部分の長さよりも長く形成することが好ましい。
換言すれば、図２及び図４において、仕切り片３の開口部５を押え部３ｂの先端部Ｑに向かって略凹状、逆円弧状、略Ｖ字状等に形成することが好ましい。この場合において、仕切り片３を略くの字に形成させる場合は、図２に示すように、押え部３ｂの開口部５側の頂点Ｒは折り線４ｂの仮想線上にあることが好ましい。
また、仕切り片３を略コの字に形成させる場合は、図４に示すように、押え部３ｂの開口部５側の頂点Ｒは折り線４ｂ’’の仮想線上にあることが好ましい。
また、開口部５の略凹状、逆円弧状、略Ｖ字状等の上部両端部には、破断防止のために丸みをもたせることが好ましい。
【００１９】
仕切り片３を前記のように構成することにより、押え部３ｂの中心部分（図２及び図４におけるＱ−Ｒ部分）の強度が高められる。この結果、図３で示した角筒状に折り畳まれた扁平な状態から製箱する際に、仕切り片３をくの字状（又はコの字状）に屈曲せしめる際の強度確保が可能となり、さらに押え部３ｂの先端部Ｑと箱体の内周面（折り線２ｃ）との当接点により折り線４ａと折り線４ｂ又は折り線４ｂ’、４ｂ’’の基軸の連携により、仕切り片３が弾性力を有する押圧片として機能する。これにより、箱体内に収容するシート状物品Ａ、円筒状物品Ｂ等の収容物品を確実に保持し、移動時や振動時等でも収容物品がずれたり、傾いたりすることを防止することができる。
【００２０】
本発明の包装用箱は本来収容能力の許容範囲が広いものであるが、必要に応じて、収容するシート状物品Ａ、円筒状物品Ｂ等の形状、大きさに合わせて、正面部１ａ、左側面部１ｂ、裏面部１ｃ、右側面部１ｄの幅や、仕切り片３を構成する屈曲部３ａと押え部３ｂの幅（長さ）や、屈曲部３ａと押え部３ｂとの折り線４ｂの位置を適宜調整することができる。そうすれば、断面形状が大きいものから小さいものまで、種々の断面形状を有する２種以上の物品を簡便かつ確実に保持することができる。この点において、本発明の包装用箱１０は形状設計の自由度に優れている。
なお、図２において、仕切り片３は、裏面部１ｃの右辺側に設けた糊代部１ｐを介して連接されているが、仕切り片３の設置位置はこの態様に限定されない。例えば、右側面部１ｄの左辺側に糊代部を設けて、その糊代部に仕切り片３を連接するように構成することもできる。
【００２１】
本発明の包装用箱１０は、板状体１を次のような過程で組み立て、製箱することができる。なお、箱体の内部を略くの字状に仕切る仕切り片を設けた包装用箱１０の組立て方法について説明するが、略コの字状に仕切る仕切り片を設けた包装用箱を組み立てるときも同様に行うことができる。
裏面部１ｃを中心にして、まず折り線４ａを谷折りし、次に折り線２ｃ、２ａの順で谷折りし、次いで、糊代部１ｐと、糊代部１ｐに対応する右側面部１ｄの裏面の少なくとも一部分とを、接着剤又は両面テープ等で貼着する方法により、図３で示した扁平な状態とすることができる。接着剤としては、板状体を接着でき、剥がれ難くするものであればよく、特に制限はない。例えば、カゼイン系、天然ゴム系、デンプン系等の天然系接着剤、合成樹脂系、合成ゴム系等の合成系接着剤が挙げられるが、簡便性等の観点から感圧性接着剤が好ましい。
このとき、仕切り片３の押え部３ｂの先端部Ｑは、箱体形成時に、箱体内周面の折り線２ｃにほぼ当接された状態、又は折り線２ｃ近傍に位置する状態にある。仕切り片３の屈曲部３ａと押え部３ｂとの連接部（折り線４ｂの部分）は、仕切り片３の他の部分よりも幅狭に形成し、折り線４ｂ及び開口部５を設けているので、この後、折り線２ｂ、２ｄを谷折りして包装用箱として組み立てていくと、仕切り片３は容易に略くの字状に折れ曲がる。
【００２２】
図５〜図７は、別の組み立て手順を示すもので、図１に示す板状体１を谷折りし、仕切り片３を更に谷折りして包装用箱を組み立てる過程の一例を示す斜視図である。図５〜図７においては、まず、裏面部１ｃを中心にして、左側面部１ｂ、正面部１ａ、右側面部１ｄ、及び糊代部１ｐを各面部間の折り線に沿って谷折りしていき、同時に、仕切り片３を折り線４ｂに沿って山折りし、折り線４ｂに沿って谷折りして、仕切り片３を裏面部１ｃの方向に折り曲げ、仕切り片３が箱体内を略くの字状に仕切るように組み立てている。
【００２３】
糊代部１ｐと右側面部１ｄを貼着することにより、板状体１は箱体を形成することができると共に、図１に示すように、仕切り片３は包装用箱１０の内周面の折り線２ｃ上の当接点で係着される。しかしながら、仕切り片３は、包装用箱１０の内部で略くの字状（又は略コの字状）に形成されており、弾力性を有する前記の加工板紙等で形成されているため、仕切り片３の屈曲部３ａと押え部３ｂの連接部、及び押え部３ｂは弾性力を有し、包装用箱１０の内部で収容物品を簡便かつ確実に保持する機能を有する。
【００２４】
その後、蓋面部１ｆを折り曲げて、差込み片１ｈを箱体に差し込んで閉蓋することにより、蓋面部１ｆと差込み片１ｈとの連接部（折り線２ｈ）の両端部に設けられた直線状の切り込みによりロック機構が働き、蓋面部１ｇが箱体に抜け難く係止される。
この時点において、図８（図１の包装用箱１０の切断線Ａ−Ａに沿って示す断面図）に示すように、仕切り片３の押え部３ｂの先端部Ｑが、箱体の内周面上端縁部（折り線２ｃ）に当接し、箱体内部を略くの字状（又は略コの字状）に仕切る仕切り片３が連接された包装用箱１０が形成される。
【００２５】
上記のようにして組み立てられた包装用箱に形状の異なる２種以上の物品を収容する場合には、開蓋状態（図８参照）で、シート状物品Ａ及び円筒状物品Ｂを箱体内に差し込むように収容する。
ここで、仕切り片３の折り線４ｂの部分は、自動包装によるシート状物品等の収容工程を円滑に行うために、シート状物品等の収容場所をある程度確保しておく観点から、仕切り片３の折り線４ｂの部分を裏面部１ｃに接しないように若干隙間をあけて構成するか、又は裏面部１ｃに接するように構成し、かつ仕切り片３の長さ（Ｍ＋Ｌ）を調整して正面部１ａ側に隙間をあけ、シート状物品等の収容場所をある程度確保してもよい。
【００２６】
図９は、形状の異なる２種以上の物品を収容した場合の包装用箱１０の切断線Ａ−Ａに沿って示した断面図であり、Ａは収容されたシート状物品、Ｂは収容された円筒状物品Ｂを示す。このとき、図９に示すように、収容されたシート状物品Ａは、仕切り片３の屈曲部３ａと押え部３ｂとの連接部（折り線４ｂの部分）によって、正面部１ａ側に押圧されて保持され、収容された円筒状物品Ｂは、仕切り片３の押え部３ｂによって、左側面部１ｂ側に押圧されて保持されている。
【００２７】
図１０は、仕切り片３の屈曲部３ａと押え部３ｂとの間に押さえ補助部３ｃを設けた態様（図4参照）の包装用箱を組み立てた際の、図８に相当する断面図である。仕切り片３の屈曲部３ａと押え部３ｂとの間には２以上の連接部（折り線）を設けることができる。このように、仕切り片３に折り線を複数設けることにより、仕切り片３と正面部１ａのみならず、仕切り片３と裏面部１ｃとの間にも、シート状物品等の収容エリアとして大きく確保することができ、収容物（例えばシート状物品Ａ及び円筒状物品Ｂ等）の形状やサイズに合わせて適宜選択が可能となる。
図１０に示す包装用箱に形状の異なる２種以上の物品を収容する場合には、上記と同様にして、開蓋状態で、シート状物品Ａ及び円筒状物品Ｂを箱体内に差し込むように収容する。
図２、図８に示す折り線４ｂ、及び図４、図１０に示す折り線ｂ’、４ｂ’’は、それぞれの長さを調整したり、その一部又は全部にミシン目及び／又は半切り線を施したりすること等により、仕切り片３の折れ曲がり強度を調整し、その押圧力を調整することができる。
【００２８】
上記のように、本発明の包装用箱１０は、形状の異なる２種以上の物品を包装用箱１０の内周面に押圧状に保持することができる。したがって、物品が収容された包装用箱１０を振ったり、誤って落下させたりしても、収容物品が包装用箱１０内で大きく乱れたり、破損したりすることがない。
以上、本発明の包装用箱が４角柱体の場合を例示して説明したが、本発明の包装用箱は４角箱体に限定されるものではなく、一枚の板状体を複数回屈曲して箱体を形成しうるものであれば、６角柱体等の多角柱体や一部の面が曲面である箱体であってもよく、本発明の目的を損なわない範囲で種々の形状を採用しうる。
【産業上の利用可能性】
【００２９】
本発明の包装用箱は、筒状体、多角柱体、瓶体等の容器に入った口紅、香水、マニキュア等の化粧品と、薄形袋に入ったクレンジングシート、拭き取りシート、保湿シート等の化粧用品や日用品等の形状の異なる２種以上の物品を収容するための包装用箱として好適に利用することができる。
【図面の簡単な説明】
【００３０】
【図１】本発明の包装用箱の一実施態様を示す斜視図である。
【図２】図１の包装用箱を展開した状態の板状体を示す図である。
【図３】図２の板状体を谷折りして角筒状にし、それを折り畳んで偏平な状態（製箱前又は納品時の状態）にした図である。
【図４】仕切り片の別の態様を示す図である。
【図５】図２の板状体を谷折りして包装用箱を組み立てる過程を示す斜視図である。
【図６】図５の板状体を更に谷折りし、仕切り片を山折りして包装用箱を組み立てる過程を示す斜視図である。
【図７】図６の板状体を更に谷折りし、仕切り片を山折りして包装用箱を組み立てる過程を示す斜視図である。
【図８】図１の組み立てられた包装用箱の切断線Ａ−Ａにおける断面図である。
【図９】図１の包装用箱に形状の異なる２種の物品を収容した状態の切断線Ａ−Ａにおける断面図である。
【図１０】別の態様の包装用箱を組み立て、形状の異なる２種の物品を収容した状態を示す断面図である。
【符号の説明】
【００３１】
１．  板状体
１ａ．正面部  １ｂ．左側面部  １ｃ．裏面部  １ｄ．右側面部
１ｅ．底面部  １ｆ．蓋面部    １ｐ．糊代部
２ａ〜２ｈ．  折り線
３．  仕切り片
３ａ．屈曲部  ３ｂ．押え部  ３ｃ．押さえ補助部
４ａ〜４ｂ．  折り線
５．  開口部
１０．包装用箱
Ａ．シート状物品
Ｂ．円筒状物品
【図１】
2010052813.tif 000003
【図２】
2010052813.tif 000004
【図３】
2010052813.tif 000005
【図４】
2010052813.tif 000006
【図５】
2010052813.tif 000007
【図６】
2010052813.tif 000008
【図７】
2010052813.tif 000009
【図８】
2010052813.tif 000010
【図９】
2010052813.tif 000011
【図１０】
2010052813.tif 000012